(57)【要約】【課題】  ドレンパンに、熱交換器の送風ファン側への撓みを防止する撓み防止手段を備えたことにより、例えば落下衝撃時であっても、前記熱交換器が前記送風ファン側へ撓まないように防止できるようにした空気調和機を提供する。【解決手段】  吸込口と吹出口２とを結ぶ空気通路に熱交換器３と送風ファン４とを備え、前記熱交換器３の下端を支持する支持部５を有するドレンパン６を備えてなる空気調和機において、前記ドレンパン６に、前記熱交換器３の前記送風ファン４側への撓みを防止する撓み防止手段７を備えた。【選択図】  図２
2007205598.tif 000002
【特許請求の範囲】
【請求項１】
吸込口と吹出口とを結ぶ空気通路に熱交換器と送風ファンとを備え、前記熱交換器の下端を支持する支持部を有するドレンパンを備えてなる空気調和機において、
前記ドレンパンに、前記熱交換器の前記送風ファン側への撓みを防止する撓み防止手段を備えてなることを特徴とする空気調和機。
【請求項２】
前記撓み防止手段は、前記ドレンパンに設けられた板片であることを特徴とする請求項１に記載の空気調和機。
【請求項３】
前記熱交換器の下端前部と前記支持部との距離よりも、前記熱交換器の下端後部と前記板片との距離が短いことを特徴とする請求項１または請求項２に記載の空気調和機。
【発明の詳細な説明】
【技術分野】
【０００１】
本発明は、空気調和機に係わり、より詳細には、ドレンパンに熱交換器の送風ファン側への撓みを防止する撓み防止手段を備えた構造に関する。
【背景技術】
【０００２】
従来の空気調和機は、本体が据付板から浮き上がるのを防止し、かつ、容易に取り付け、取り外し得る据付装置として、本体の後面上部左右に鉤部を、下部左右に頭付きピンを突設し、据付板の上部左右に引掛部を、下部左右に鳩目穴を設け、そして、ピンの頭を鳩目穴の大径穴内に挿入貫通させた後、本体を下方にスライドさせることによりピンを鳩目穴の溝に移行させて係止すると同時に鉤部を引掛部に引っ掛けることによって本体を据付板に取り付けるようにした構成が開示されると共に、ドレンパンが、熱交換器の送風ファン側への撓み（変形や移動）を防止することができるように、後壁面が熱交換器の下端後部に隣接する位置に形成された構成が図示されていた（例えば、特許文献１参照。）。
【０００３】
前記ドレンパンの後壁面の更なる後部には、左右方向の風向を偏向する左右風向板の上部支軸を回動自在に軸支する支軸部が設けられると共に、送風ファンに対向するスタビライザが連続的に形成されている。
【０００４】
しかしながら、前記ドレンパンの前後寸法は、とくに前記熱交換器の下端後部に対応するスペースが小さく形成されていることから、上部が後方に傾斜した前記熱交換器から滴下する結露水を充分に受けることが困難になってしまうおそれがあり、また、前記ドレンパンの後壁面と前記スタビライザとの間に結露水が滴下したような場合には、前記吹出口に前記支軸部から結露水の一部が滲み出てしまうおそれがあった。
【０００５】
【特許文献１】特開平８−２７８０５６号公報
【発明の開示】
【発明が解決しようとする課題】
【０００６】
そこで、本発明は上述した課題を解決するためになされたものであって、その目的はドレンパンに、熱交換器の送風ファン側への撓みを防止する撓み防止手段を備えたことにより、例えば落下衝撃時であっても、前記熱交換器が前記送風ファン側へ撓まないように防止できるようにした空気調和機を提供することにある。
【課題を解決するための手段】
【０００７】
上述した目的を達成するため、本発明は以下に示す特徴を備えている。
吸込口と吹出口とを結ぶ空気通路に熱交換器と送風ファンとを備え、前記熱交換器の下端を支持する支持部を有するドレンパンを備えてなる空気調和機において、
前記ドレンパンに、前記熱交換器の前記送風ファン側への撓みを防止する撓み防止手段を備えてなることを特徴としている。
【０００８】
また、前記撓み防止手段は、前記ドレンパンに設けられた板片であることを特徴としている。
【０００９】
また、前記熱交換器の下端前部と前記支持部との距離よりも、前記熱交換器の下端後部と前記板片との距離が短いことを特徴としている。
【発明の効果】
【００１０】
本発明によれば、ドレンパンに、熱交換器の送風ファン側への撓みを防止する撓み防止手段を備えたことにより、例えば落下衝撃時であっても、前記熱交換器が前記送風ファン側へ撓まないように防止できるようになり、これによって、前記熱交換器の下端が、同下端を支持する支持部から離脱せず、該箇所のシール性が損なわれてしまうということがなくなるので、熱交換されない所謂生ガスが吸い込まれて送風ファンに結露が生じてしまうというおそれがなくなる。
【００１１】
なお、前記熱交換器は、従来、両側部が側板を設けることによって本体ケーシングに固定されているが、例えば落下衝撃時には、中央部に送風ファン側への撓みが生じることにより、同熱交換器の下端部が支持部から離脱して該箇所のシール性が損なわれてしまうおそれがあった。
【００１２】
また、前記撓み防止手段は前記ドレンパンに設けられた板片からなる構成であり、前記熱交換器の撓みを防止するのに充分な強度を有するように、前記ドレンパンに一体成形された板片として容易に形成できるようになっている。
【００１３】
また、前記熱交換器の前端と前記支持部との距離よりも、前記熱交換器の後端と前記板片との距離が短くなるように構成されており、これによって、前記熱交換器が撓んでその後端が前記板片に当接した場合であっても、前記熱交換器の下端が、同下端を支持する支持部からは離脱しない構成となる。
【００１４】
なお、前記ドレンパンの前壁面は、前記熱交換器の下端前部に近接するように構成されていることから、同熱交換器の下端が前記送風ファン側と逆方向に撓まないようになっており、また、空気調和機としての厚さ寸法を抑えてコンパクト化に寄与できるようになっている。
【発明を実施するための最良の形態】
【００１５】
以下、本発明の実施の形態を、添付図面に基づいた実施例として詳細に説明する。
図１は本発明による空気調和機の外観斜視図であり、図２は本発明による空気調和機の断面図であり、図３は本発明による空気調和機の要部斜視図であり、図４および図５はドレンパンを上方から見た斜視図であり、図６は上下風向板を回動自在に枢支し、ディフューザ（他の風向板）を回動自在に軸支する枢支部材の説明図で、（Ａ）は正面側から見た斜視図、（Ｂ）は背面側から見た斜視図であり、図７は吹出口の上下風向板およびディフューザ（他の風向板）を取り外した状態を示す斜視図であり、図８は吹出口に枢支部材を取り付けた状態を示す斜視図であり、図９は吹出口に上下風向板およびディフューザを取り付けた状態を示す斜視図であり、図１０はケーシングに前面パネルを組み付けた状態を示す斜視図であり、図１１および図１２はケーシングから前面パネルを取り外した状態を示す斜視図である。
【００１６】
本発明による空気調和機は、図に示すように、吸込口１と吹出口２とを結ぶ空気通路に熱交換器３と送風ファン４とが設けられている。
前記吹出口２には、図９乃至図１２に示すように、単数または複数の上下風向板８が回動可能に設けられることにより、上下方向の風向を偏向して空気調和を行えるようになっている。前記上下風向板８は、前記吹出口２の側壁に相対向するように設けられた枢支部９および９’により回動自在に枢支されている。
【００１７】
前記吹出口２の先端下部には、他の風向板として支軸部１３および１３’により回動自在に軸支されたディフューザ１２が設けられており、同ディフューザ１２と前記上下風向板８とで上下方向の風向を効果的に偏向できるようにして、被空調室の快適な空気調和が行なえるようになっている。
【００１８】
前記吹出口２には、図１および図２に示すように、前記上下風向板８の枢支部９と、前記吹出口２の上壁２ａおよび下壁２ｂ間に跨がって設けられた支柱部１０とを一体とした単数または複数の枢支部材１１が取り付けられ、この枢支部材１１の枢支部９で前記上下風向板８の回動軸が枢支されることによって、同上下風向板８に撓みが生じないように枢支して回動させることができるようになっている。
【００１９】
前記枢支部材１１は、例えばＰＰ（ポリプロピレン）のような潤滑性を有する合成樹脂製によって成形されることで、前記枢支部９をグリースアップすることなく、前記上下風向板８の回動軸を円滑に回動させることができるように枢支できる。
【００２０】
また、図２、図３、図７および図８に示すように、前記枢支部材１１は、前記吹出口２の上壁２ａおよび下壁２ｂ間に前記支柱部１０を跨がらせるようにして、同支柱部１０の一端に備えた係止爪１１ａを前記吹出口２の上壁２ａに設けられた係止部２ｄに係止し、他端に備えた固定片１１ｂを前記吹出口２の下壁２ｂに設けられた固定部Ｄにネジ締めにより固定するようにしている。
【００２１】
これにより、前記吹出口２の変形に伴って前記枢支部９に位置ずれが生じないようにして、前記枢支部材１１を前記吹出口２に強固に固定できるようになり、前記上下風向板８を撓みなく正確に枢支できるようになる。
【００２２】
前記枢支部材１１の支柱部１０には、図６（Ａ）および図６（Ｂ）に示すように、前記吹出口２の上壁２ａおよび下壁２ｂ間を接続するように設けられた支柱２ｃにその前方から嵌入する溝部１１ｃが形成されており、図１に示すように、同溝部１１ｃを前記支柱２ｃに嵌入して前記係止爪１１ａを前記係止部２ｄに係止し、前記固定片１１ｂが前記固定部Ｄにネジ締めされることによって強固に固定されることになる。
【００２３】
なお、前記係止爪１１ａを前記係止部２ｄに係止し、前記固定片１１ｂを前記固定部Ｄにネジ締めにより固定した際、これらの係止爪１１ａや固定片１１ｂは、吹出空気が流通する前記吹出口２に突出しないようにすることで、吹出空気流に対する空気抵抗を増加させることがないように構成されている。
【００２４】
また、前記吸込口１と前記吹出口２とを結ぶ空気通路の一部を構成して、前記熱交換器３、前記送風ファン４、前記上下風向板８および前記ディフューザ１２などが組み付けられたケーシングＡに前面パネルＢが組み付けられて締結される際、同締結部Ｃが前記吹出口２の下壁２ｂに設けられた前記固定部Ｄを兼ねることにより、前記ケーシングＡに、潤滑性を有する合成樹脂製でなる前記枢支部材１１の固定片１１ｂを介して、前面パネルＢがネジ締めによりいっしょに固定される構成になっている。
【００２５】
前記ケーシングＡに備えられた前記吹出口２は、冷風または温風が流通することに伴って熱膨張による影響で変形することが想定されるが、この変形時に、前記ケーシングＡにいっしょにネジ締め固定された前記枢支部材１１が潤滑性を有する素材からなる構成にしたことで、前記ケーシングＡおよび前記前面パネルＢとの間に滑りを生じさせるようになって、該箇所にきしみ音が発生しなくなる。
【００２６】
また、図６（Ａ）および図６（Ｂ）と、図8 とに示すように、前記枢支部材１１は、前記支柱部１０に対向する位置に前記ディフューザ１２を回動自在に軸支する支軸部１３を備えた構成になっており、同支軸部１３と前記枢支部９とを一体成形したことで、これらの位置精度やピッチの精度を高めることができることになる。
【００２７】
前記吹出口２には、図示はしないが、前記送風ファン４に誤って手指が届かないようにガードするため左右に延びるワイヤ状のファンガードが設けられることがあり、その場合に対応して、前記枢支部材１１を構成する支柱部１０に前記ファンガードを支持するための支持部１４が形成されてもよい。
【００２８】
前記支持部１４は、図６（Ａ）および図６（Ｂ）に示すように、後部を開放して側面視線で略Ｖ字状に形成され、同開放部から前記ファンガードを収容しながら、前記枢支部材１１の溝部１１ｃを前記吹出口２の支柱２ｃに嵌入することにより、同支柱２ｃの前端縁と、前記支持部１４の基端部との間に形成される支持空間によって前記ファンガードを支持するようになっている。
【００２９】
これにより、前記ファンガードが、前記吹出口２に設けられた左右風向板や前記支柱２ｃに穿設した支持孔に先端から挿通して支持されるように構成した場合に較べて、前記ファンガードを前記支持部１４に容易に収容して支持できるようになる。
【００３０】
次に、図2 と、図4 および図5 とに基づいて、前記熱交換器３の下端を支持する支持部５を備え、前記熱交換器３から滴下する結露水を受けるドレンパン６の構成について説明する。
【００３１】
前記熱交換器３および前記送風ファン４などを備えた空気調和機は、製品の強度を確認するため、出荷時の状態に梱包された姿で正面側、背面側および側面側などを順次下向きにした姿勢で梱包落下試験が実施される。
【００３２】
その際、質量の大きい前記熱交換器３は落下衝撃の影響を受けやすく、とくに、同熱交換器３の下端が前記ドレンパン６上で所定量を超えて撓んで（変形して）しまったような場合、前記支持部５とのシール性を保つことができず、前記吸込口１から吸い込まれた空気の一部が、前記熱交換器３を通過することなく所謂生ガスとなって前記送風ファン４に向かうことになるため、同送風ファン４に露付の現象が発生してしまうという障害が起きることになる。
【００３３】
この場合、前記熱交換器３は、その両側部に設けられた側板を介して前記ケーシングＡに強固に固定されていることから、落下衝撃により中央部が前後方向に撓んでしまうおそれがある。
【００３４】
また、前記ドレンパン６の前壁面は、前記熱交換器３の下端前部に近接するように形成されることで、空気調和機としての前後の厚さ寸法のコンパクト化に寄与できると共に、前記ドレンパン６の前壁面が、前記熱交換器３の下端が所定量を超えて前方に撓まないように防止できる構成になっている。
【００３５】
そのため、前記熱交換器３の下端は、落下衝撃により中央部が前記送風ファン４側に向けて、所定量を超えて上述したシール性を損ねる位置まで撓んでしまうおそれが生じることになる。
【００３６】
そこで、本発明においては、図２に示すように、前記ドレンパン６に、前記熱交換器３が前記送風ファン４側に、所定量を超えて撓まないように防止するための撓み防止手段７を設けた構成にしている。
【００３７】
前記撓み防止手段７は、前記ドレンパン６の後壁面と前記支持部５との間に設けられた板片７であって、同板片７は前記熱交換器３の下端を支持する支持部５と同様の厚さ寸法で一体成形され、且つ同支持部５と略平行に形成されることで、金型成形を容易に行なえるような配慮がされている。
【００３８】
また、図２に示すように、前記熱交換器３の下端前部と、断熱部材５ａを備えた前記支持部５の先端( 支持) 位置との距離ａよりも、前記熱交換器３の下端後部と前記板片７の先端位置との距離ｂが短いことを特徴としている。
【００３９】
これにより、前記支持部５で支持された前記熱交換器３の下端が前記送風ファン４側に撓んだ場合、前記熱交換器３の下端後部が前記板片７に当接することによって所定量を超えて撓みが起きないように防止されることにとって、前記熱交換器３の下端が前記支持部５から離脱してしまわないように防止されることになる。
【００４０】
また、前記板片７の更に後方に前記ドレンパン６の後壁面があるため、前記送風ファン４に対向するスタビライザを兼ねるこの後壁面と、前記熱交換器３の下端後部との間の距離が、前記熱交換器３から滴下する結露水を受けるのに好適な構成になるように所定の寸法を有した構造になる。
【００４１】
以上説明したように、前記熱交換器３の下端と、前記支持部５の先端とのシール性が損なわれないようになって、上述したとおり、前記吸込口１から吸い込まれた空気が前記熱交換器３を通過するようになり、所謂生ガスが前記送風ファン４に向かうということがなくなることから、同送風ファン４に露付が発生するという障害が起きなくなる。
【図面の簡単な説明】
【００４２】
【図１】本発明による空気調和機の外観斜視図である。
【図２】本発明による空気調和機の断面図である。
【図３】本発明による空気調和機の要部斜視図である。
【図４】ドレンパンを上方から見た斜視図である。
【図５】ドレンパンを上方から見た斜視図である。
【図６】上下風向板を回動自在に枢支し、ディフューザ（他の風向板）を回動自在に軸支する枢支部材の説明図で、（Ａ）は正面側から見た斜視図であり、（Ｂ）は背面側から見た斜視図である。
【図７】吹出口の上下風向板およびディフューザ（他の風向板）を取り外した状態を示す斜視図である。
【図８】吹出口に枢支部材を取り付けた状態を示す斜視図である。
【図９】吹出口に上下風向板およびディフューザを取り付けた状態を示す斜視図である。
【図１０】ケーシングに前面パネルを組み付けた状態を示す斜視図である。
【図１１】ケーシングから前面パネルを取り外した状態を示す斜視図である。
【図１２】ケーシングから前面パネルを取り外した状態を示す斜視図である。
【符号の説明】
【００４３】
１  吸込口
２  吹出口
２ａ  上壁
２ｂ  下壁
２ｃ  支柱
２ｄ  係止部
３  熱交換器
４  送風ファン
５  支持部
５ａ  断熱部材
６  ドレンパン
７  板片（撓み防止手段）
８  上下風向板
９  枢支部
９’  枢支部
１０  支柱部
１１  枢支部材
１１ａ  係止部
１１ｂ  固定片
１１ｃ  溝部
１２  ディフューザ（他の風向板）
１３  支軸部
１３’  支軸部
１４  支持部
Ａ  ケーシング
Ｂ  前面パネル
Ｃ  締結部
Ｄ  固定部
【図１】
2007205598.tif 000003
【図２】
2007205598.tif 000004
【図３】
2007205598.tif 000005
【図４】
2007205598.tif 000006
【図５】
2007205598.tif 000007
【図６】
2007205598.tif 000008
【図７】
2007205598.tif 000009
【図８】
2007205598.tif 000010
【図９】
2007205598.tif 000011
【図１０】
2007205598.tif 000012
【図１１】
2007205598.tif 000013
【図１２】
2007205598.tif 000014